【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
電子交換プラットフォームであって、
通信ネットワークを介して、金融証券の市場における複数のセルサイドの参加者の各々から前記金融証券について取引側に対して複数のマーケットメイキングの注文を受信し、
前記複数のマーケットメイキングの注文の各々に対して、前記通信ネットワークを介して、前記金融証券に対する前記市場において複数のバイサイドの参加者のうち、承認されたバイサイドの参加者のそれぞれのリストを受信し、
前記複数のマーケットメイキングの注文を受信すると、前記複数のマーケットメイキングの注文の各々に対する前記第１の価格が前記最良価格に対して追従関係となるように、前記複数のマーケットメイキングの注文の各々に対する第１の価格を、前記電子交換プラットフォームによって維持される前記市場に対する注文ブックの取引側の最良価格に対する相対価格及び複数のティックだけ下位の価格に追従させ、
前記複数のマーケットメイキングの注文を受信すると、前記通信ネットワークを介して、前記複数のバイサイドの参加者の各バイサイドの参加者のそれぞれのインターフェースに、承認されたバイサイドの参加者として前記バイサイドの参加者が識別された前記複数のマーケットメイキングの注文のそれぞれのサブセットについての情報を含む市場情報を取り込み、
前記通信ネットワークを介して、前記セルサイドの参加者のサブセットと取引をすることが承認されたバイサイドの第１の参加者から、前記複数のマーケットメイキングの注文に対する優先権を有するセルサイドの参加者を識別するカウンター・オファーを受信し、
前記カウンター・オファーを受信して、まず、前記カウンター・オファーを、第１に、前記カウンター・オファーに反対する前記ベスト・ビッド又はオファーにおける注文に、第２に、前記優先権を有するセルサイドの参加者からのマーケットメイキングの注文に、第３に、前記バイサイドの第１の参加者が取引を承認され、そのセルサイド提出者が前記カウンター・オファーに反対する前記ベスト・ビッド又はオファーの注文を有している前記複数のマーケットメイキングの注文のうちのマーケットメイキングの注文のサブセットに、第４に、前記バイサイドの第１の参加者が取引することを承認され、そのセルサイド提出者が前記カウンター・オファーに反対する前記ベスト・ビッド又はオファーの注文を有していないマーケットメイキングの注文に、流動性を配布する優先方式に従って、まず、前記注文ブックの中の注文に配布し、
前記カウンター・オファーの前記配布に自動的に応じて、前記注文ブックにおいて新しいベスト・ビッド及びオファー価格を決定し、
前記注文ブックにおいて前記新しいベスト・ビッド及びオファー価格を決定したことに自動的に応じて、前記複数のマーケットメイキングの注文のうち残りのマーケットメイキングの注文の各々を有する前記セルサイドの参加者のいずれかからの、前記通信ネットワークを介して受け取られた、いかなる注文価格の調整情報をも処理することなく、
前記複数のマーケットメイキングの注文のうち前記残りのマーケットメイキングの注文を調整された価格に調整して、前記残りのマーケットメイキングの注文の各々の前記調整された価格と、前記新しいベスト・ビッド又はオファー価格から決定された取引側の新たな最良価格との追従関係を維持し、
前記複数のバイサイドの参加者のうちの所定のバイサイドの参加者の各々のインターフェースに、前記通信ネットワークを介して、前記所定のバイサイドの参加者が承認されたバイサイドの参加者として識別された前記残りのマーケットメイキングの注文の各々について前記調整された価格を取り込む、
ことを制御するように構成された少なくとも１つのプロセッサを備える、
電子交換プラットフォーム。
【請求項２】
前記少なくとも１つのプロセッサは、
前記セルサイドの参加者からの入力なしに市場の動きに自動的に応じて、前記残りのマーケットメイキングの注文を調整された価格に調整して、前記取引側の新たな最良価格との追従関係を維持する、
ことを制御するように構成されている、
請求項１に記載の電子交換プラットフォーム。
【請求項３】
前記少なくとも１つのプロセッサは、
承認されたバイサイドの参加者の前記リストへの調整を受信し、前記調整を反映するように、前記通信ネットワークを介して、承認されたバイサイドの参加者の前記リストのバイサイドの参加者の各々の前記インターフェースを調整する、
ことを制御するように構成されている、
請求項１に記載の電子交換プラットフォーム。
【請求項４】
前記少なくとも１つのプロセッサは、
前記通信ネットワークを介して、所定のセルサイドの参加者のセルサイドのインターフェースに、前記金融証券に対する市場情報と、前記所定のセルサイドの参加者が前記複数のマーケットメイキングの注文のうちの１つを取り込んで出すためのコントロールとを、取り込む、
ことを制御するように構成されている、
請求項１に記載の電子交換プラットフォーム。
【請求項５】
前記少なくとも１つのプロセッサは、
前記通信ネットワークを介して、前記残りのマーケットメイキングの注文を前記調整された価格に調整したことに応じて、所定のセルサイドの参加者のインターフェースを調整する、
ことを制御するように構成されている、
請求項１に記載の電子交換プラットフォーム。
【請求項６】
前記それぞれのインターフェースの少なくとも１つが、前記優先権を有するセルサイドの参加者の為の入力フォームと、前記第１の価格で承認されたセルサイドの参加者から入手可能な注文数量の表示を含む請求項１に記載の電子交換プラットフォーム。
【請求項７】
前記マーケットメイキングの注文は、前記金融証券の買い注文を含み、前記カウンター・オファーは、前記金融証券の売り注文を含む請求項１に記載の電子交換プラットフォーム。
【請求項８】
前記市場情報は、ベスト・ビッド及びオファー、前記ベスト・ビッド及びオファーで利用可能な数量、及び前記バイサイドの参加者が利用可能な流動性の注文を含む請求項１に記載の電子交換プラットフォーム。
【手続補正２】
【補正対象書類名】明細書
【補正対象項目名】０１７８
【補正方法】変更
【補正の内容】
【０１７８】
ＶＩＩＩ．審査経過
本出願（特許請求の範囲を含む）を解釈する際に、当業者は、本出願の審査経過を参照するが、他の特許又は特許出願が本出願に関わると考えられるか否かに関わらず、また他の特許出願が存在するか否かに関わらず、本出願と優先権の主張を共有する他の特許出願があるかどうかにかかわらず、その他の特許又は特許出願の審査経過は参照しない。
〔付記１〕
金融証券の市場における複数のセルサイドの参加者の各々から前記金融証券について取引側に対して複数のマーケットメイキングの注文を受信し、
前記複数のマネーメイキングの注文のうちの複数のマーケットメイキングの注文各々に対して、前記金融証券に対する前記市場において複数のバイサイドの参加者のうち、承認されたバイサイドの参加者のそれぞれのリストを受信し、
前記複数の注文を受信すると、前記複数のマネーメイキングの注文のうちの前記マーケットメイキングの注文のそれぞれに対する価格を、電子交換プラットフォームによって維持される前記市場に対する注文ブックの取引側の最良価格に対する相対価格及び複数のティックだけ下位の価格に追従させ、
前記複数の注文を受信すると、前記複数のバイサイドの参加者の各バイサイドの参加者のそれぞれのインターフェースに、承認されたバイサイドの参加者として前記バイサイドの参加者が識別された前記複数のマーケットメイキングの注文のそれぞれのサブセットについての情報を含む市場情報を取り込み、
前記セルサイドの参加者のサブセットと取引をすることが承認されたバイサイドの参加者から、前記複数のマーケットメイキングの注文に対する優先権を有するセルサイドの参加者を識別するカウンター・オファーを受信し、
前記カウンター・オファーを受信して、まず、前記カウンター・オファーを、
第１に、前記カウンター・オファーに反対する前記ベスト・ビッド又はオファーにおける注文に、第２に前記識別された優先権を有するセルサイドの参加者からのマーケットメイキングの注文に、第３に前記バイサイドの参加者が取引を承認され、そのセルサイド提出者が前記カウンター・オファーに反対する前記ベスト・ビッド又はオファーの注文を有している前記複数のマーケットメイキングの注文のうちのマーケットメイキングの注文のサブセットに、第４に、前記バイサイドの参加者が取引することを承認され、そのセルサイド提出者が前記カウンター・オファーに反対する前記ベスト・ビッド又はオファーの注文を有していないマーケットメイキングの注文に流動性を配布する優先方式に従って、まず、前記注文ブックの中の注文に配布し、
前記配布に応じて、前記注文ブックにおいて新しいベスト・ビッド及びオファー価格を決定し、
前記複数のマーケットメイキングの注文のうち残りのマーケットメイキングの注文を調整して、前記新しいベスト・ビッド又はオファーを決定したら追従価格を保持するように構成された電子交換プラットフォーム。
〔付記２〕
前記金融証券は、債券を含む付記１に記載の電子交換プラットフォーム。
〔付記３〕
前記電子交換プラットフォームは、演算装置、ネットワークリンク及び指示が格納された非一時メモリを含み、前記演算装置によって実行されると前記演算装置が動作を行う付記１に記載の電子交換プラットフォーム。
〔付記４〕
前記価格を追従させることは、前記セルサイドの参加者からの入力なしに市場の動きに応じて前記価格を調整することを含む付記１に記載の電子交換プラットフォーム。
〔付記５〕
前記電子交換プラットフォームは、承認されたバイサイドの参加者のリストへの調整を受信し、前記調整を受けて、それぞれのバイサイドの参加者のインターフェースを調整するように構成される付記１に記載の電子交換プラットフォーム。
〔付記６〕
前記電子交換プラットフォームが、セルサイドのインターフェースに前記金融証券に対する市場情報を取り込み、前記セルサイドの参加者が前記複数のマーケットメイキングの注文のうちの１つを取り込んで出せるように制御するように構成される付記１に記載の電子交換プラットフォーム。
〔付記７〕
前記電子交換プラットフォームが、前記追従によって前記価格の変化が起きると、セルサイドの参加者のインターフェースを調整するように構成される付記１に記載の電子交換プラットフォーム。
〔付記８〕
前記バイサイドの前記インターフェースが、前記優先権を有するセルサイドの参加者の為の入力フォームと、前記追従された価格で承認されたセルサイドの参加者から入手可能な注文数量の表示を含む付記１に記載の電子交換プラットフォーム。
〔付記９〕
前記マーケットメイキングの注文は、前記金融証券の買い注文を含み、前記カウンター・オファーは、前記金融証券の売り注文を含む付記１に記載の電子交換プラットフォーム。
〔付記１０〕
前記複数のティックが２ティックを含む付記１に記載の電子交換プラットフォーム。
〔付記１１〕
前記市場情報は、ベスト・ビッド及びオファー、前記ベスト・ビッド及びオファーで利用可能な数量、及び前記バイサイドが利用可能な流動性の注文を含む付記１に記載の電子交換プラットフォーム。